【事件の表示】
　商願２００６−　８９７９３拒絶査定不服審判事件について、次のとおり審決する。
【結　論】
　本件審判の請求は、成り立たない。
【理　由】
１　本願商標　
　本願商標は、「フィットベルト」の文字を標準文字で表してなり、第１８類「かばん金具，がま口口金，皮革製包装用容器，愛玩動物用被服類，かばん類，袋物，携帯用化粧道具入れ，傘，ステッキ，つえ，つえ金具，つえの柄，乗馬用具，皮革」を指定商品として、平成１８年９月２７日に登録出願されたものである。
　
２　原査定の拒絶の理由の要点　
　原査定は、「本願商標は、『フィットベルト』の文字を普通に用いられる方法で書してなるが、その構成中の『フィット』の文字は、『適合すること。ぴったり合うこと』等の意味を、『ベルト』の文字は、『帯、ベルト』等の意味をそれぞれ有する語として一般に親しまれているところ、近時、ランドセルが後方に垂れない様に肩ベルトに工夫を凝らし、背中にぴったり合うランドセルが販売されている実情がある。そうとすると、本願商標は全体として『（身体に）ぴったり合うベルト』程の意味合いを容易に理解・認識させるにすぎず、これを本願指定商品中、例えば、『ランドセルの肩ベルト，その他のかばん類及び袋物用の肩掛けベルト』に使用するときは、単に商品の品質を表示するにすぎないものと認める。したがって、本願商標は、商標法第３条第１項第３号に該当し、前記商品以外の商品に使用するときは、商品の品質の誤認を生じさせるおそれがあるから、同法第４条第１項第１６号に該当する。」旨認定、判断し、本願を拒絶したものである。
　
３　当審における職権証拠調べ通知
　本願商標が商標法第３条第１項第３号に該当するか否かについて、職権により証拠調べをした結果、下記の事実を発見したので、商標法第５６条第１項で準用する特許法第１５０条第５項の規定に基づき、請求人に対して証拠調べ通知書を送付した。
　　　　　　　　　　　　　　　　記
　本願商標を構成する「フィットベルト」、「フィット」、「ベルト」の各文字に関して行った証拠調べによれば、以下の事実が認められる。
１．「フィット」の語の有する意味について、辞典によれば、以下の事実がある。
（１）株式会社岩波書店発行広辞苑第５版２２９９頁には、「適合すること。特に、洋服が身体や感覚にぴったり合うこと。」等の記載がある。
（２）株式会社三省堂発行コンサイスカタカナ語辞典第３版８９５頁には、「服などが体にぴったり合うこと。うまく適合すること。」等の記載がある。
（３）株式会社集英社イミダス２００６第１２７７頁には、「衣類が体にぴったり合う。似合っている。適合する。」等の記載がある。
２．「ベルト」の語の有する意味について、辞典によれば、以下の事実がある。
（１）株式会社岩波書店発行広辞苑第５版２４１１頁には、「洋服用の胴をしめる帯。バンド。」等の記載がある。
（２）株式会社三省堂発行コンサイスカタカナ語辞典第３版１００２頁には、「衣服、ズボンなどの上に用いて、留めたり、押さえたりする洋式の細帯。」等の記載がある。
３．「フィットベルト」の語が新聞記事情報に掲載されている事実。
（１）１９９３年１月１９日付け毎日新聞東京夕刊５頁には、「［この人・この企業］天田一夫さん＝白十字社長　激戦の大人用紙おむつ市場」の見出しの下、「商品そのものは、どこも似たようなものだろう。おなかを締め付けすぎないよう
フィットベルト
（２）１９９６年５月１１日付け日経流通新聞7頁には、「ずれない潜水用腰ベルト、アート潜水企画（新製品）」の見出しの下、「水中でずれない潜水用のウエートベルト『
フィットベルト
（３）２００１年４月１６日付けPharmaweek１０頁には、「＜特集＞『失禁・排泄ケア』」の見出しの下、「白十字は５月の連休明けをメドに大人用紙オムツ『サルバＤパンツ』（長時間用）をリニューアル発売する。（中略）２つのギャザーがモレをガードし、伸びる
フィットベルト
（４）２００３年４月８日付け繊研新聞１２頁には、「０３〜０４年秋冬東京コレクション　世界不安にメッセージ　ホーボールック」の見出しの下、「フィッチファーのひざ丈ベストは、ジャスト
フィットベルト
（５）２００３年５月８日付け西日本新聞朝刊２３頁には、「福岡県／新品逸品＝東洋ゴム織布　フィットベルト　もうズボン下がらない」の見出しの下、「ともすればズルズル下がってしまうズボンを何とかできないか、と開発されたのが『
フィットベルト
（６）２００４年５月１４日付けFujiSankei Business i.２７頁には、「【ニュースリリース】バレーボールシューズ『ＷＡＶＥ　ＪＵＭＰ　ＢＩＯ』」の見出しの下、「バレーボールシューズ『ＷＡＶＥ　ＪＵＭＰ　ＢＩＯ（ウエーブ　ジャンプ　バイオ）』。トッププレーヤー向けシューズ。マジックテープ式ベルトを外甲・内甲の両サイドからクロスさせ甲を面で抑える機能『クロス
フィットベルト
４．「フィットベルト」の語が、インターネットのホームページに掲載されている事実。
（１）株式会社神田屋鞄製作所が運営するホームページの「ランドセル」を紹介するウェブページ(http://www.caruchan.co.jp/function/index.html) には、「機能と特徴」の見出しの下、「NEW
フィットベルト
（２）株式会社 生田が運営するホームページの「ショッピング」の項目中「手作りのこだわり」のページ(http://www.randsel.jp/shop/spec_detail.html)には、「生田の手作りランドセルの特徴」の見出しの下、「
フィットベルト
（３）株式会社ワイズが運営するホームページ「ランドセルパーク」のウェブページ (http://www.r-wise.co.jp/q.html)には、「よくある質問」として「Ｑ　体が大きくなっても背負えますか？」の見出しの下、「Ａ　１m７０cm位の大人でも充分に背負えます。自由に伸縮する背カンや
フィットベルト
（４）有限会社牧野商店内アヤビが運営するホームページ「アヤビのランドセル」のウェブページ(http://www.ayabi-web.com/point.htm)には、「Ｐｏｉｎｔ１５＋ひとつひとつ手作りで仕上げたポイントにご注目ください。」の見出しの下、「ジャスト
フィットベルト
（５）株式会社ＮＵＴＳが運営するホームページの「Ackermann/アッカーマン(ドイツ)鹿革＆牛革 二つ折りショルダーバッグ」を紹介するウェブページ(http://www.rakuten.co.jp/nuts/427141/844760/)には、「自転車乗りに嬉しいヒップベルト」の説明として「肩からショルダーバッグを掛けて颯爽と自転車に乗りたい!でも前傾姿勢ではバッグが前の方にズレたり動いたりして乗りにくい・・・そんな時には付属の
フィットベルト
　
４　証拠調べ通知に対する請求人の意見
　請求人は、前記３の証拠調べ通知に対して、指定した期間内に何ら意見を述べていない。
　
５　当審の判断　
　本願商標は、前記１のとおり、「フィットベルト」の文字を標準文字で表してなるところ、構成中前半の「フィット」の文字は「適合すること。特に、洋服が身体や感覚にぴったり合うこと。」、後半の「ベルト」の文字は「洋服用の胴をしめる帯。バンド。」（いずれも、株式会社岩波書店「広辞苑第五版」）の意味を有する語として、どちらも極めて親しまれた語であることから、これらを結合した本願商標からは、全体として「（身体に）ぴったり合うベルト」という程の意味合いを容易に理解させるものであるというのが相当である。
　そして、前記３の証拠調べ通知で示した新聞記事情報及びインターネットのホームページの情報によれば、本願指定商品中の「かばん類，袋物」を取り扱う業界において、ランドセルやショルダーバッグといった商品に「フィットベルト」の文字が商品の品質を表示するものとして普通に使用されていることが認められる。
　そうすると、本願商標は、これをその指定商品中の「かばん類，袋物」に使用しても、「ぴったり合うベルトを有する商品」程の意味合いを看取させ、単に商品の品質を表示したものと理解されるにすぎず、自他商品識別標識としての機能を果たし得ないものといわなければならない。
　なお、請求人は、過去の登録例を挙げ、本願商標も同様に登録されるべきである旨主張しているが、登録出願された商標が商標法第３条第１項第３号に該当するものであるかどうかの判断は、当該商標の構成態様と指定商品に基づいて、個別具体的に判断されるものであって、他の登録例の存在によって、上記判断が左右されるものではない。そして、本願については前記のとおり判断するのが相当であるから、請求人の主張は、採用することができない。　
　したがって、本願商標は、商標法第３条第１項第３号に該当するものであり、これを理由として本願を拒絶した原査定は妥当であって、取り消すことはできない。　
　よって、結論のとおり審決する。